(57)【要約】本発明は、市販の壁設置型の繰り出し装置からトイレットティッシュのような紙製品をより効率的に容易に取出すための方法及び装置からなる。本発明は、ハウジングの内部にスプリング式の突起を備えることができ、該突起は、ハウジング内でティッシュペーパのロールを受け取って吊るすようになっている。ハウジング内の扉は、解放位置にある時に、繰り出し装置に新たな紙ロールを挿入し、さらに、該扉が閉鎖位置にある時に、ティッシュの使用者が容易に手に取れるように紙ロールの下端を吊るすことができるような形状にされる。付属特徴は、繰り出し装置が再装填されると、新しいロールに加えて、使い残りロールすなわち一部消費されたロールの繰り出しも容易にする。メンテナンスを行う者が、いつ繰り出し装置の再装填が必要なのか判断できるようにするために、１つ又はそれ以上の窓部が設けられる。
2004502476.tif 000002
【特許請求の範囲】
【請求項１】
吸収紙のロールを繰り出すための組立体であって、
内部スペースと外カバーとを有するハウジングと、
前記ハウジングの内部に互いに間隔をおいて取り付けられ、紙ロールの側面と接触するようになった相対する支持部材と、
前記ハウジングの内部スペース内に存在し、紙ロールの側面と嵌合して固定の取り付け軸を形成し、ここから前記ロールを繰り出すことができるようになった第１の一対の突起と、
使い残りロールと作動的に嵌合し、及び該ロールを繰り出すことができる吊り下げ装置を備え、一部消費されたロールを繰り出すようになった使い残りロール装置と、
を備え、この組立体が、前記ハウジングに紙ロールを挿入すると、前記ハウジングの内部スペース内で自動的に紙ロールを受け取って取り付けるようになっていることを特徴とする組立体。
【請求項２】
前記第１の一対の突起が、スプリング式であることを特徴とする請求項１に記載の組立体。
【請求項３】
前記相対する支持部材が、紙ロールの側面に対して張力をかけることを特徴とする請求項１に記載の組立体。
【請求項４】
前記装置が、使い残りロールを支持する第２の一対の突起を備えることを特徴とする請求項１に記載の組立体。
【請求項５】
前記第２の一対の突起が、芯無しの紙ロールの側面の窪みと連接可能であることを特徴とする請求項４に記載の組立体。
【請求項６】
芯無しの吸収紙ロールと使い残りロールとを繰り出すための組立体であって、
内部スペースと外カバーとを有するハウジングと、
前記ハウジング内で互いに間隔をおいて、張力をかけるように前記ハウジングの内部に取り付けられ、紙ロールの側面と接触するようになった、相対する支持部材と、
前記ハウジングの内部スペースに設けられ、前記芯無し紙ロールの側面の窪みと嵌合し、これにより固定の取り付け軸を形成して、ここから前記芯無し紙ロールを繰り出すことができるようになった、第１の一対のスプリング式の突起と、
一部消費されたロールを繰り出すようになった、使い残りロール装置と、
を備え、前記使い残りロールのホルダが、紙を繰り出すのに使い残りロールを繰り出し装置に作動的に嵌合させることができる吊り下げ装置からなり、この組立体が、前記ハウジングに紙ロールを挿入すると、前記ハウジングの内部スペース内で自動的に紙ロールを受け取って取り付けるようになっていることを特徴とする組立体。
【請求項７】
前記組立体からの紙ロールの解放及び取り外しを容易にするために、解放機構をさらに備えることを特徴とする請求項６に記載の組立体。
【請求項８】
前記組立体が、紙ロールの下端を前記ハウジングに対して間隔をおいて保持することが可能な少なくとも１つの扉を含むことを特徴とする請求項６に記載の組立体。
【請求項９】
前記使い残りロールの端が、芯無しの吸収紙ロールの端と同じ方向に方向付けられるように前記ハウジング内で方向付けられることを特徴とする請求項６に記載の組立体。
【請求項１０】
少なくとも１つの前記第１の一対の突起が、（ａ）取り付けられた紙ロールと嵌合可能な十分直立した位置と、（ｂ）取り付けられた紙ロールを前記組立体から取り外すのを容易にするための無効位置と、の間で連接可能であることを特徴とする請求項６に記載の組立体。
【請求項１１】
前記突起を作動させるための解放バーをさらに備えることを特徴とする請求項１０に記載の組立体。
【請求項１２】
前記解放バーが、スライド可能に前記突起と係合して、前記突起を無効にし、これにより前記組立体からの紙ロールの取り外しを容易にすることを特徴とする請求項１０に記載の組立体。
【請求項１３】
前記ハウジングが、ハウジング内のロールの消費量の視認を容易にするために、１つ又はそれ以上の窓部を備えることを特徴とする請求項１０に記載の組立体。
【請求項１４】
新しい吸収紙ロールを繰り出し装置のハウジングに取り付ける方法であって、
（ａ）ハウジングの主要な繰り出し手段から、存在するどんな使い残りロールをも取り外し、
（ｂ）新しい紙ロールを繰り出し装置に隣接して位置決めし、内部に細長い支持部材を有する繰り出し装置のハウジングと位置合わせし、
（ｃ）前記新しい紙ロールを前記ハウジングに挿入し、
（ｄ）前記細長い支持部材を前記新しい紙ロールの側面に接触させ、
（ｅ）前記紙ロールの両側面に突起を作動させ、
（ｆ）前記紙ロールの側面に前記突起を連接させることで前記紙ロールを支持し、
（ｇ）前記紙ロールが前記ハウジング内に取り付けられて、前記ハウジングの外部に紙を繰り出し可能になる、
ステップからなる方法。
【請求項１５】
前記紙ロールが芯無しであることを特徴とする請求項１４に記載の方法。
【請求項１６】
前記ステップ（ａ）で取り外された前記使い残りロールを、前記ハウジングの使い残りロール装置に取り付ける付加的なステップを含むことを特徴とする請求項１４に記載の方法。
【請求項１７】
前記紙ロールを前記ハウジングの内面に対して押し込み、これにより前記突起を前記紙ロールの側面に連接するように作動させるステップをさらに含むことを特徴とする請求項１６に記載の方法。
【請求項１８】
解放機構を作動させることにより、前記ハウジングから紙ロールを取り外すステップをさらに含むことを特徴とする請求項１６に記載の方法。
【請求項１９】
前記解放機構が、解放バーであることを特徴とする請求項１８に記載の方法。
【請求項２０】
前記解放バーが、前記ハウジングの外部から作動されて突起のスプリングを無効にするように動作し、これにより、前記ハウジングからの紙ロールの取り外しを容易にすることを特徴とする請求項１９に記載の方法。
【発明の詳細な説明】
【０００１】
（技術分野）
本発明は、繰り出し装置及び方法に関し、特に、トイレットペーパ、ハンドタオルその他類するもののような吸収紙製品を繰り出すためのロール紙の繰り出し装置に関する。
【０００２】
（背景技術）
典型的な市販の消費者向けの吸収紙製品は、ロールから繰り出され、分配される。ロール紙製品は、中空の円筒形の芯を用いて繰り出され、保管され、維持され、該中空の円筒形の芯は、その周りに紙が巻き付けられる支持構造体を形成する。ほとんどのペーパータオル及び消費者向けトイレットペーパ製品は、厚紙の芯を含み、ロール製品は、ロールの芯の中を通るスピンドルに芯を取り付けることで繰り出されることが多い。場合によっては、取り付け構造体又はワイヤ・フレームが作動的に芯の両端と係合し、これによりロール製品を吊り下げて紙の繰り出しを容易にする。
商業施設の手洗所及び大容量のロール紙製品が必要とされるその他の場所では、大きい又は特大サイズのトイレットペーパのロールが繰り出される。これらの大きいサイズのロールは、通常は該ロールの中心に芯を含む。ロールは、普通は、繰り出し装置のハウジング内で該ロールの芯がハブ又は回転軸に支持されるように繰り出し装置に取り付けられる。これらの大きいサイズのロールは、その下部境界又は底部縁において紙を使用者に供給するロックされたハウジング内で保護されることが多いので、大部分が消費者に見えないようにすることができる。
【０００３】
幾つかの従来の大型ロールの繰り出し装置は、繰り出し装置の再装填を容易にするために、鍵でのみ取り外すことができるハウジング・カバーを含む。他の繰り出し装置は、繰り出し装置の再装填を容易にするために、横に開ける又は動かす必要があるヒンジ式のハウジング・カバーを使用する。繰り出し装置の再装填は、メンテナンスを行う者にとって時間のかかる仕事である。一般に、効率的で単純な手法で繰り出し装置を再装填する方法が提供されることが望ましい。市販の繰り出し装置の設計における１つの試みは、簡便迅速に再装填できる繰り出し装置を提供することであるが、さらにロールペーパ製品を保全することも試みられており、これにより公共物破壊及び盗難から繰り出し装置の内容物が保護される。
【０００４】
芯無しのロール紙製品は、ロール製品の中心に芯を使用しないことが望ましいような用途に使用される。芯無しロール製品は、米国特許第５，６２０，１４８号で提供されるように、ロールの側面に、該ロールの支持と繰り出しを容易にする窪みが形成されるように製造することができる。芯無しロールの紙製品を繰り出し可能な装置は、例えば米国特許第５，６９７，５７６号に開示されている。別の特許である米国特許第５，８７５，９８５号は、回転式繰り出し装置に取り付けるための自己支持ロールを形成するために、ロールの少なくとも一端に取り付け穴が形成されるように芯無しロールを加工する方法に向けられている。
繰り出し装置の再装填において、繰り出し装置に新しい紙ロールを配置する時に、一部消費されたロールを取り外すのが一般的な手法である。「使い残りロール」と呼ばれることがある一部消費されたロールを使用する幾つかの方法を用いることが望ましい。一部消費されたロールを繰り出す便利な方法がないと、このようなロールは使用されず、紙製品を使用者に提供する全体的なコストが、望ましくない増加を遂げることになる。
【０００５】
（発明の開示）
したがって、本発明の目的は、吸収体ロールを繰り出すための組立体を提供することであり、該組立体は、製造、設置及び使用するのに簡単で経済的である。本発明のこれらの及び他の目的は、開示された構造体及び方法によって与えられるか又は本発明の実施から教示される。
本発明の一態様によれば、内部スペースと外カバーとを有する、吸収紙ロールを繰り出すための組立体が提供される。この組立体は、一対の相対する支持部材を含み、該支持部材は、紙ロールの側面と接触するようになっている。支持部材は、互いに間隔をおくようにハウジングの内部に取り付けられる。本発明の幾つかの実施形態において、ハウジングの内部スペース内に第１の一対の突起が存在し、該突起がロールの側面に連接されて、これにより、そこからロールを繰り出すことができる固定の取り付け軸が形成される。「エスコート」又は使い残りロールと呼ばれることがある使い残りロール装置の側部の特徴は、主要なロールすなわち最初のロールに加えて、一部繰り出されたロールの保管と繰り出しを容易にする。さらに、この組立体は、紙ロールをハウジングに挿入すると、ハウジングの内部スペース内で自動的に紙ロールを受け取り、取り付けるようになっている。
【０００６】
本発明は、市販の壁取付け型の繰り出し装置からトイレットペーパのような紙製品をより効果的に容易に繰り出す方法及び装置からなる。この繰り出し装置は、ほとんどの場合、普通は片手しか必要としない単一の操作で再装填することができる。さらに、ハウジングは、単純な再装填手順に対応するような形状にされていながら、鍵、錠及びハウジングを開けることができるその他類するものを使用する必要なく、破壊及び不当な悪戯から紙を保護する。
本発明は、ハウジングの内部にスプリング式の突起を備えることができ、該突起は、ハウジング内でティッシュペーパのロールを受け取り、吊るすようになっている。ハウジング内の扉は、開放位置にある時に、繰り出し装置に新しい紙ロールを挿入するのを容易にする形状にされる。さらに、このような扉は、該扉が閉鎖位置にある時に、ティッシュの使用者が容易に手に取ることができるように紙ロールの下端（端）を吊るす。
一実施形態において、突起はスプリング式である。相対する支持部材は、本発明の一形状において紙ロールの側面に対して付勢される。紙ロールは、芯を含むこともできるし、或いは芯無しとすることもできる。紙ロールが芯無しである場合には、該ロールは、紙ロールの側面の窪み又はスペースと連接可能な突起によりハウジング内で支持される。
【０００７】
本発明の別の態様によれば、芯無しの吸収紙ロールを繰り出すための組立体には、内部スペースと外カバーとを有するハウジングが含まれる。さらに、相対する支持部材は、紙ロールの側面と接触するようになっており、該支持部材は、ハウジング内で互いに間隔をあけてハウジングの内部に取り付けられている。組立体は、ハウジングの中にロールを挿入すると、ハウジングの内部スペース内で紙ロールを自動的に受け取り、取り付けるようになっている。芯無しの紙ロールの側面の窪みに嵌合して固定の取り付け軸を形成するようになった、第１の一対のスプリング式の突起が、ハウジングの内部スペース内に与えられ、そこから芯無しの紙ロールを繰り出すことができる。使い残りロール装置は、一部消費されたロールを繰り出すようになっている。
この組立体はさらに、紙ロールを使い切る前に、組立体から紙ロールを解放して取り外すのを容易にするために、解放機構を備えることができる。一実施形態において、組立体は、ハウジングに対して間隔をあけて紙ロールの下端を保持できる少なくとも１つの扉を含む。相対する支持部材は、通常は可撓性があり、これによりロールがハウジングに挿入される際にロールの両側面との接触が容易になる。
【０００８】
少なくとも１つの第１の一対の突起は、（ａ）取り付けられる紙ロールと嵌合可能な十分に直立した位置と、（ｂ）取り付けられた紙ロールを組立体から取り外すのを容易にする無効位置と、の間で作動可能にされる。例えば、繰り出し装置に僅か１／２又はそれ以下のロールが残っており、近い将来、頻繁な使用時間が予想される時に、紙ロールを取り外すことが望ましい場合がある。一部繰り出されたロールを取り外すことができると、メンテナンスを行う者が繰り出し装置を詰め替えられない時間帯の望ましくないロールの使い切り（すなわち、「切らす」と呼ばれる状態）を防ぐ一助となる。
幾つかの実施形態において、突起を作動させるのに解放バーが使用され、これにより一部繰り出されたロールの取り外しが可能になる。解放バーは、突起とスライド可能に嵌合して該突起を無効にすることができ、これにより、組立体からの紙ロールの取り外しが容易になる。組立体はさらに、芯無しの使い残りロールの側面の窪みに連接可能な第２の一対の突起を含むことができる。
幾つかの実施形態において、使い残りロールは、該使い残りロールの端が、十分な量の紙ロールに平行に位置決めされるようにハウジング内で方向付けられる。組立体はさらに、ハウジング内のロールの消耗量の視認を容易にするために、１つ又はそれ以上の窓部を備えたハウジングを含むことができる。
【０００９】
本発明の別の態様によれば、新しい吸収紙ロールを繰り出し装置に取り付ける方法が提供される。第１ステップとして、存在する使い残りロールが、ハウジングの主要な繰り出し手段から取り外される。次いで、新しい紙ロールが、繰り出し装置に隣接して位置決めされ、繰り出し装置のハウジングと位置合わせされる。繰り出し装置は、その内部に細長い支持部材を有する。次に、新しい紙ロールが繰り出し装置のハウジングに挿入される。新しい紙ロールは、該紙ロールの側面に沿って、細長い支持部材と接触する。次のステップとして、突起が、紙ロールの両側面上で作動して該紙ロールに連接し、紙をハウジングの外に繰り出すために該ロールをハウジング内で支持する。随意的に、使い残りロールをハウジングの使い残りロール装置に取り付けることができる。
本発明を十分可能にさせる開示が、当業者に示される最良の形態を含む本明細書に記載される。添付の図面は本発明を説明するものである。
【００１０】
（発明を実施するための最良の形態）
次に、本発明の実施形態の１つ又はそれ以上の例について以下に説明する。各例は、本発明を説明するためのものであり、本発明を限定するものではない。実際に、本発明の精神又は範囲から逸脱することなく、本発明に様々な変更及び変形を行うことができるということが当業者には明らかであろう。例えば、１つの実施形態の一部として説明され記載された特徴を、別の実施形態に使用して、さらに別の実施形態を生み出すことができる。したがって、本発明は、このような変更及び変形を、特許請求の範囲の請求項及びその均等例の範囲内に入るものとして包含するように意図されている。本発明の他の目的、特徴及び態様は、次の詳細な説明に開示されるか又はそこから明らかになる。ここでの説明は、例示的な実施形態の説明を行うのみであり、本発明の広い態様を限定するものではなく、この広い態様は、例示的な構成において具現化されるということが当業者であれば理解できるであろう。
【００１１】
図１を参照すると、外面２２、下縁２３及び側部３１を有するハウジング２１を備えた繰り出し装置が示されている。外カバー２２ａと内面２２ｂも図中に示されている。ティッシュの下端２８は、使用者がハウジングの下で利用可能である。ハウジングは、通常は手洗所の壁又は仕切りに取り付けられる。中心に芯スペース３０をもつ比較的大きいサイズ（業界では直径８インチが一般的）の紙ロール２９が、図面の左側に点線で示すように繰り出し装置に配置される。芯スペース２７をもつ使い残りロール２４が、使い残りロール装置４８内のハウジングの右側部分に示されている。窓部２６は、いつ使い残りロールがほとんど使い果たされるのかをメンテナンスを行う者に示すように働く。ロール２９の消耗を知るために、同様の窓部２５が設けられる。
【００１２】
図２は、ボンベイ扉４６及び４７を備える繰り出し装置の断面図である。ヒンジ４１及び４２は、新たな紙ロールを挿入するのに対応するための開放位置から、使用者の手の届く範囲内に紙の下端２８を吊るすように働く閉鎖位置まで、ボンベイ扉が運動するための関節を与える。図７及び図８に関連して後でさらに説明するように、解放バー３３は、繰り出し装置からの紙ロールの取り外しを容易にする付加的な特徴である。内部ハウジング３４と心合わせリブ３５及び３６が、紙ロール２９のためのキャビティを形成する。プレート３７は、リブ３５及び３６の間で垂直にスライド可能となるようにハウジングの上部で端部３７ａ及び３７ｂに取り付けられる。後でさらに説明するように、プレート３７は、それに対して紙ロールが押されてＴ字形のバー３８と係合し、及び該Ｔ字形のバー３８を持ち上げることができる弯曲面を形成し、これにより支持部材４３及び４４が持ち上げられて、突起５０及び５５が紙ロールの両側面の芯スペース３０に連接可能にされる。
【００１３】
スプリング・キャビティ３９は、支持部材４３及び４４（図３参照）に下向きの張力を掛けるためのスプリング４５及び８８を配置することができる中空のスペースである。Ｔ字形のバー３８は、スプリング８６及び８７を受け入れるために、支持部材４３及び４４の上端から延びる。プレート３７は、通常は、紙ロール２９が使用されていない時には、図２に示すようにＴ字形のバー３８に隣接した肩部３７ａに乗り掛かっている。ティッシュ４９は、ロール２９から巻き出され、使用者が都合良く手に取ることができるように、ハウジングの下縁に対して間隔をあけて保持される。ハウジングの内壁の各々の鋸歯状の保持プレート４０は、芯ありロールが芯無し装置に挿入された場合のように、ロールが軸線に対してずれた時に、ロールの回転に対する摩擦ストップ部を与え、繰り出し装置の損傷を防ぐ。
使い残りロール装置４８は、ハウジングの右側に示されており、紙を供給することができる使い残りロール２４を備える。通常は、新しい十分なロールが繰り出し装置に挿入される時に、一部使用された使い残りロール２４が、最初にハウジングから取り外され、使い残りロール装置４８に配置される。隔壁６１は、メイン・ハウジングから使い残りロール装置を隔離する。
【００１４】
図３に見られるように、第１の一対の支持部材４３及び４４が、ロールの側面に接触し、ロールの挿入中に撓む。支持部材は、力が加わると長軸の周りで自由に曲がる。支持部材は、垂直に自由に移動し、スプリング４５及び８８によって下向きに付勢される（図５に見られる）。ロールの上のスペース４８は、ロール２９が、軸線上で回転したり、繰り出し装置に挿入されるのを容易にするために必要な空間を与える。支持部材は、支柱６０及び６５によってそれぞれ保持される。
図２に示す内部ハウジング３４が紙ロールを取り囲み、さらに、該内部ハウジングは、繰り出し位置にありながら弯曲したプレート３７を接続する芯合わせリブ３５及び３６を備える。
【００１５】
図３のハブ４９は、最初の紙ロールを配置し、及び保持するのを助ける。ラグ５３が、ハブ４９の端を形成する。弾丸形の突起５５は、スプリング５４によるスプリング張力を有し、自然に張り出して紙ロールに押し込まれる。スプリング式のリテーナ５１が、ハウジングの両側のベース６２に接続され、突起５０を支持する。したがって、ロール２９が、突起５０及び５５によって支持されることになる。
心棒５２が突起５５に接続され、幾つかの状況の下で、この心棒は、スプリング５４を押し込んで、弾丸形の突起５５をハブ４９の中に引き出し、ロールの取り外しを容易にするように作動することができる。この取り外し操作は、図７及び図８に関連して後でさらに説明するように、解放バー３３のスライド可能な移動によって可能となる。
【００１６】
図３には、図面の下側に使い残りロール２４が示されている。Ｃ字形のアダプタ８０及び８１は、ロールの各端に向かうスプリング式の突起８３及び８２を含む。これらの突起は、繰り出し位置に使い残りロール２４を吊るすために、芯無しロールの各端における穴又はキャビティの中に挿入され、その後に、スプリング式の突起８２及び８３は、突起５０と同様に構成され、及び取り付けられるので、本発明を説明し、及び実施可能にするために、ここで突起８２及び８３について更に説明する必要はない。
図４において、扉支持体６３及び６４が、ボンベイ扉の各々を支える。リテーナ５９は、可撓性の支持部材のベースを与える。矢印５６及び５７の方向は、紙ロール２９の挿入経路を示す。嵌合穴５８は、突起５０が可撓性の支持体４４を通って紙ロールのキャビティに進入するための経路を与える。
【００１７】
図５は、ハウジングに挿入される紙ロール２９が示されている側面図である。可撓性の支持体４３及び４４は、それらの内面でロールの側面を受け取るＡ字形の形状である。挿入中に、突起５０及び５５は、スプリング作用によって可撓性の支持体４３及び４４に向かって押し付けられる。図５に示されるように、突起５０及び５５は、可撓性の支持体４３及び４４の各々の穴５８を通り抜けてさらに突出することはない。スプリング４５及びスプリング８８の各々は、支持部材４３及び４４のための張力を与える。支持体８４及び８５に接続されたスプリング８６及び８７はまた、繰り出し装置の中心線に向けて可撓性の支持部材４３及び４４を保持する張力を与える。支柱６０及び６５は、支持部材４３及び４４に中を通して取り付けられる。
【００１８】
図６は、上記に異なる方向で説明された多くの特徴を示している。例えば、図６は、紙ロールが、内部ハウジングの上端までプレート３７に対して上向きに挿入され、次いで、矢印５６ａ及び５７ａの方向に落下して、突起５０及び５５が紙ロール２９の側面の各々に対して連接する位置になった、繰り出し装置に挿入された後の紙ロールを示している。
紙ロールを挿入すると、ロールがハウジングに完全に押し込まれ、それに伴いプレート３７とＴ字形のバー３８がハウジングの上端まで上向きにスライドされる。ロールの上向きの力によって、可撓性の支持体が上向き及び外向きに押され、スプリング４５及び８８が圧縮され、スプリング８６及び８７が伸長される。図５には、可撓性の支持体の表面上に、ノッチ７５及び７６が見える。ロールが十分にハウジングの中に挿入されると、ノッチが弾丸形の突起５０の上に引き上げられ、外向きに付勢される。図６において、突起５０及び５５が、可撓性の支持体４３及び４４の穴５８と位置合わせされ、可撓性の支持体を通って突出し、紙ロールの両側面の窪み又はキャビティと嵌合して、紙ロールを繰り出し装置内に吊り下げる。次いで、紙ロールが繰り出し装置における定位置にしっかりと保持され、通常は下からロールを単純に引っ張ることでは取り外すことができない。突起は、芯無しロールの窪みとしっかりと嵌合する。芯ありロールの場合には、突起は、芯の内部の空きスペースと係合する。
【００１９】
図６及び図７において、紙ロール２９が十分にハウジング内に挿入されると、解放バー３３は「上げ」位置にされる。図８において、解放バー３３が「下げ」位置に引き下げられており、該解放バー３３により心棒５２が突起５５と共に右に付勢され、これによりスプリング５４が圧縮される。したがって、突起５５が紙ロール２９の中に入ることはない。突起５５は、互いに対して垂直に一直線にされた２つのスロット７８及び７９を有する。解放バー３３が下げ位置に引き下げられると、解放バーのトラック部７７（図７及び図８参照）が、スロットを通して配置される。この形状において、突起が弛められ、紙ロール２９に水平方向の力が加わることはない。したがって、図８に示すように、解放バーが解放位置に引き下げられた時に、繰り出し装置から紙ロール２９を取り外すことができる。
【００２０】
繰り出し装置からの一部使用された紙ロールの取り外しは、繰り出し装置の非常に頻繁な使用時間が予想され、この非常に頻繁な使用時間の間に詰め替える機会がないと思われる状況において、特に有用である。ロールの取り外しが有利である他の状況は、紙ロール２９が汚れたり、損傷した場合である。このような損傷の一例は、手洗所を洗い流すことで起こり得るような水でずぶぬれになることである。この場合には、紙ロール２９を解放し、繰り出し装置から該紙ロールを取り外すことができることは有用である。一部使用されたロール（使い残りロール）が取り外されると、該ロールは、繰り出し装置の使い残りロール装置に配置され、これにより、使い残りロールと最初のロール２９との両方が、一時期の使用に利用可能になる。
【００２１】
図９は、最初の紙ロール１２９から送られた紙の平面に対して垂直な平面に使い残りロールから紙が送られるように、図１に示された実施形態から９０度ずれた方向に面している使い残りロール１２４を備えた、本発明の別の実施形態１２１を示している。その他の点については、実施形態１２１の構造及び動作は、実施形態２１と実質的に同じである。開示された実施形態における同じ部品を同定するために、同じ参照符号が使用される。
本発明は、特に請求項に記載されているとおりである。さらに、本明細書に開示された様々な実施形態の態様は、本発明から逸脱することなく全て或いは部分的に置き換えることができる。さらに、ここでの説明は単に例示する為のものであり、特許請求の範囲の請求項に記載されるような本発明を限定することを意図していないということが当業者には明らかであろう。
【図面の簡単な説明】
【図１】
使い残りロールを収容する付属装置を備えた繰り出し装置の斜視図である。
【図２】
図１の線２−２に沿って見た繰り出し装置の部分的な側断面図である。
【図３】
図１の線３−３に沿って見た繰り出し装置の（一部が切り取られた）部分的な端面断面図である。
【図４】
繰り出し装置の中に紙ロールを装填することを示す図である。
【図５】
繰り出し装置の中に紙ロールを装填することを示す図４のステップを含む繰り出し装置の側面図である。
【図６】
繰り出し装置の中に十分に挿入された紙ロールを示す端面図である。
【図７】
紙ロールの側面に挿入されたスプリング式の突起を示す断面図である。
【図８】
突起のスプリング作用を無効にするために下向きに引き下げられ、これにより繰り出し装置からの紙ロールの取り外しを容易にする、解放バーを示す図である。
【図９】
最初のロールから送られる紙の平面に対して垂直な平面に使い残りロールから紙が送られるように、図１に示された実施形態から９０度ずれた方向に面している使い残りロールを備えた、本発明の別の実施形態を示す図である。
【国際公開パンフレット】
2004502476.tif 000003
2004502476.tif 000004
2004502476.tif 000005
2004502476.tif 000006
2004502476.tif 000007
2004502476.tif 000008
2004502476.tif 000009
2004502476.tif 000010
2004502476.tif 000011
2004502476.tif 000012
2004502476.tif 000013
2004502476.tif 000014
2004502476.tif 000015
2004502476.tif 000016
2004502476.tif 000017
2004502476.tif 000018
2004502476.tif 000019
2004502476.tif 000020
2004502476.tif 000021
2004502476.tif 000022
2004502476.tif 000023
2004502476.tif 000024
2004502476.tif 000025
2004502476.tif 000026
2004502476.tif 000027
2004502476.tif 000028
【国際調査報告】
2004502476.tif 000029
2004502476.tif 000030
2004502476.tif 000031